【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
複数の燃料種を混合させた燃料の蒸発過程解析方法であって、
前記燃料の蒸発時の液体燃料分子量と気体燃料分子量に基づいて蒸発過程において時々刻々と変化する前記複数の燃料種毎の物性値を推算し、前記物性値を用いて燃料液滴の前記蒸発過程における液滴径変化と温度変化を解析することを特徴とする燃料の蒸発過程解析方法。
【請求項２】
請求項１に記載の燃料の蒸発過程解析方法であって、
前記液体燃料分子量と前記気体燃料分子量に基づいて、前記複数の燃料種毎に取得したデータから前記燃料の蒸発に関わる前記複数の燃料種毎の前記物性値を推算することを特徴とする燃料の蒸発過程解析方法。
【請求項３】
請求項１又は２に記載の燃料の蒸発過程解析方法であって、
前記燃料液滴の初期条件と前記燃料液滴に含まれる前記複数の燃料種の混合割合に応じて前記蒸発過程を時間分割した時間ステップ毎に前記複数の燃料種毎の前記物性値を求め、当該物性値を用いて前記時間ステップ毎に前記液滴径変化と前記温度変化を解析することを特徴とする燃料の蒸発過程解析方法。
【請求項４】
請求項３に記載の燃料の蒸発過程解析方法であって、
前記時間ステップ毎に、前記燃料における前記複数の燃料種の割合を求めることを特徴とする燃料の蒸発過程解析方法。
【請求項５】
請求項３又は４に記載の燃料の蒸発過程解析方法であって、
前記時間ステップ毎に、選択される割合が前記燃料液滴における前記複数の燃料種の混合割合となるように、前記複数の燃料種のうち１つを当該時間ステップにおいて蒸発する燃料種として選択することを特徴とする燃料の蒸発過程解析方法。
【請求項６】
コンピュータによって複数の燃料種を混合させた燃料の蒸発過程を解析する蒸発過程解析プログラムであって、
前記燃料の蒸発時の液体燃料分子量と気体燃料分子量を取得するステップ１と、
前記液体燃料分子量と前記気体燃料分子量に基づいて前記蒸発過程において時々刻々と変化する前記複数の燃料種毎の物性値を推算するステップ２と、
前記物性値を用いて前記蒸発過程における燃料液滴の液滴径変化と温度変化を解析するステップ３と、
前記液滴径変化と前記温度変化の結果を出力するステップ４と、
を備えることを特徴とする蒸発過程解析プログラム。
【請求項７】
請求項６に記載の蒸発過程解析プログラムであって、
前記ステップ２において、前記液体燃料分子量と前記気体燃料分子量に基づいて、前記複数の燃料種毎に取得したデータから前記燃料の蒸発に関わる前記複数の燃料種毎の前記物性値を推算することを特徴とする蒸発過程解析プログラム。
【請求項８】
請求項６又は７に記載の蒸発過程解析プログラムであって、
前記ステップ２において、前記燃料液滴の初期条件と前記燃料液滴に含まれる前記複数の燃料種の混合割合に応じて前記蒸発過程を時間分割した時間ステップ毎に前記複数の燃料種の前記物性値を求め、当該物性値を用いて前記ステップ３において、前記時間ステップ毎に前記液滴径変化と前記温度変化を解析することを特徴とする蒸発過程解析プログラム。
【請求項９】
請求項８に記載の蒸発過程解析プログラムであって、
前記時間ステップ毎に、前記燃料における前記複数の燃料種の割合を求めることを特徴とする蒸発過程解析プログラム。
【請求項１０】
請求項８又は９に記載の蒸発過程解析プログラムであって、
前記時間ステップ毎に、選択される割合が前記燃料液滴における前記複数の燃料種の混合割合となるように、前記複数の燃料種のうち１つを当該時間ステップにおいて蒸発する燃料種として選択することを特徴とする蒸発過程解析プログラム。
【請求項１１】
請求項６〜１０のいずれか１項に記載の蒸発過程解析プログラムであって、
前記ステップ３における前記解析の結果として前記燃料液滴の液滴径が所定の値となるまで前記ステップ２と前記ステップ３を繰り返すことを特徴とする蒸発過程解析プログラム。
【請求項１２】
請求項６〜１１のいずれか１項に記載の蒸発過程解析プログラムであって、
前記ステップ４における前記液滴径変化と前記温度変化の結果は、前記蒸発過程を時間分割した前記時間ステップ毎における前記燃料液滴の液滴径と温度として出力されることを特徴とする蒸発過程解析プログラム。
【請求項１３】
請求項１〜５のいずれか１項に記載の燃料の蒸発過程解析方法、又は請求項６〜１２のいずれか１項に記載の蒸発過程解析プログラムによる解析結果を用いて燃焼機関における前記燃料の燃料噴射時期を制御することを特徴とする燃料噴射制御システム。
【請求項１４】
請求項１３に記載の燃料噴射制御システムであって、
前記燃焼機関がディーゼルエンジンであることを特徴とする燃料噴射制御システム。
【手続補正２】
【補正対象書類名】明細書
【補正対象項目名】００１４
【補正方法】変更
【補正の内容】
【００１４】
請求項６に対応した燃料の蒸発過程解析プログラムは、コンピュータによって複数の燃料種を混合させた燃料の蒸発過程を解析する蒸発過程解析プログラムであって、前記燃料の蒸発時の液体燃料分子量と気体燃料分子量を取得するステップ１と、前記液体燃料分子量と前記気体燃料分子量に基づいて前記蒸発過程において時々刻々と変化する前記複数の燃料種毎の物性値を推算するステップ２と、前記物性値を用いて前記蒸発過程における燃料液滴の液滴径変化と温度変化を解析するステップ３と、前記液滴径変化と前記温度変化の結果を出力するステップ４と、を備えることを特徴とする。
【手続補正３】
【補正対象書類名】明細書
【補正対象項目名】００１６
【補正方法】変更
【補正の内容】
【００１６】
また、前記ステップ２において、前記燃料液滴の初期条件と前記燃料液滴に含まれる前記複数の燃料種の混合割合に応じて前記蒸発過程を時間分割した時間ステップ毎に前記複数の燃料種の前記物性値を求め、当該物性値を用いて前記ステップ３において、前記時間ステップ毎に前記液滴径変化と前記温度変化を解析することが好適である。
【手続補正４】
【補正対象書類名】明細書
【補正対象項目名】００１９
【補正方法】変更
【補正の内容】
【００１９】
また、前記ステップ３における前記解析の結果として前記燃料液滴の液滴径が所定の値となるまで前記ステップ２と前記ステップ３を繰り返すことが好適である。
【手続補正５】
【補正対象書類名】明細書
【補正対象項目名】００２０
【補正方法】変更
【補正の内容】
【００２０】
また、前記ステップ４における前記液滴径変化と前記温度変化の結果は、前記蒸発過程を時間分割した前記時間ステップ毎における前記燃料液滴の液滴径と温度として出力されることが好適である。
【手続補正６】
【補正対象書類名】明細書
【補正対象項目名】００２８
【補正方法】変更
【補正の内容】
【００２８】
本発明の燃料の蒸発過程解析プログラムによれば、前記燃料の蒸発時の液体燃料分子量と気体燃料分子量を取得するステップ１と、前記液体燃料分子量と前記気体燃料分子量に基づいて前記蒸発過程において時々刻々と変化する前記複数の燃料種毎の物性値を推算するステップ２と、前記物性値を用いて前記蒸発過程における燃料液滴の液滴径変化と温度変化を解析するステップ３と、前記液滴径変化と前記温度変化の結果を出力するステップ４と、を備えることによって、多種の燃料種を含む燃料について高い精度の蒸発過程の予測ができる。
【手続補正７】
【補正対象書類名】明細書
【補正対象項目名】００３０
【補正方法】変更
【補正の内容】
【００３０】
また、前記ステップ２において、前記燃料液滴の初期条件と前記燃料液滴に含まれる前記複数の燃料種の混合割合に応じて前記蒸発過程を時間分割した時間ステップ毎に前記複数の燃料種の前記物性値を求め、当該物性値を用いて前記ステップ３において、前記時間ステップ毎に前記液滴径変化と前記温度変化を解析することによって、前記時間ステップ毎（時々刻々）に変化する前記燃料種の前記物性値を考慮して多種の燃料種を含む燃料について高い精度の蒸発過程の予測ができる。
【手続補正８】
【補正対象書類名】明細書
【補正対象項目名】００３３
【補正方法】変更
【補正の内容】
【００３３】
また、前記ステップ３における前記解析の結果として前記燃料液滴の液滴径が所定の値となるまで前記ステップ２と前記ステップ３を繰り返すことによって、前記燃料液滴の径が十分に小さくなるまで多種の燃料種を含む燃料について高い精度の蒸発過程の予測ができる。
【手続補正９】
【補正対象書類名】明細書
【補正対象項目名】００３４
【補正方法】変更
【補正の内容】
【００３４】
また、前記ステップ４における前記液滴径変化と前記温度変化の結果は、前記蒸発過程を時間分割した前記時間ステップ毎における前記燃料液滴の液滴径と温度として出力されることによって、多種の燃料種を含む燃料について高い精度の蒸発過程における前記燃料液滴の径及び温度の時間変化を提示することができる。